(57)【要約】【課題】  伝達情報が隠蔽され、配達後に受取人が見開くように構成された葉書で、その葉書が受取人に届く前に第三者による伝達情報の改ざん防止を施した情報隠蔽葉書用シートを提供する。【解決手段】  用紙の略中央に形成された縦折り用ミシンにより、葉書サイズの大きさを有する宛名用紙と隠蔽用紙とが連接され、前記隠蔽用紙の一端側に沿って開封用ミシンが形成された情報隠蔽葉書用シートであって、前記宛名用紙上及び前記隠蔽用紙上には、表示情報を隠蔽するための地紋印刷が施され、前記宛名用紙の上側には、裏面に強接着剤層が形成された用紙が接着され、前記隠蔽用紙の上側には、裏面に剥離可能な接着剤層及び強接着剤層が形成され、且つ表面に透明粘着剤層が形成された透明紙が接着され、更に、前記隠蔽用紙と前記透明紙が前記開封用ミシンから端部領域においてだけ前記強接着剤層で接着され、前記透明粘着剤層上には剥離紙が剥離可能に貼付されている。【選択図】        図２
2008188787.tif 000002
【特許請求の範囲】
【請求項１】
用紙の略中央に形成された縦折り用ミシンにより、葉書サイズの大きさを有する宛名用紙と隠蔽用紙とが連接され、前記隠蔽用紙の一端側に沿って開封用ミシンが形成された情報隠蔽葉書用シートであって、
前記宛名用紙上及び前記隠蔽用紙上には、表示情報を隠蔽するための地紋印刷が施され、
前記宛名用紙の上側には、裏面に強接着剤層が形成された用紙が接着され、
前記隠蔽用紙の上側には、裏面に剥離可能な接着剤層及び強接着剤層が形成され、且つ表面に透明粘着剤層が形成された透明紙が接着され、更に、前記隠蔽用紙と前記透明紙が前記開封用ミシンから端部領域においてだけ前記強接着剤層で接着され、
前記透明粘着剤層上には剥離紙が剥離可能に貼付されていることを特徴とする情報隠蔽葉書用シート。
【発明の詳細な説明】
【技術分野】
【０００１】
本発明は、プリンタで個人情報を印字した後に、個人情報を隠蔽状態にして郵送することができる情報隠蔽葉書用シートに関する。
【背景技術】
【０００２】
従来、個人情報を保護するために、葉書表面に対してプリンタで個人情報を印字した後に、それらの個人情報を隠蔽状態にして郵送する情報隠蔽葉書が使用されている。
データベースに個人情報が予め登録されている場合には、データベースの登録情報を利用して、プリンタで連続的にそれらの個人情報を連続用紙に印字した後に、折り畳み接着させることで隠蔽葉書を作成する場合もある。
これら隠蔽葉書を作成する際に使用する情報隠蔽用連続用紙は、既に種々の仕様の用紙が知られ用いられているが、表裏面上に剥離可能な接着剤層が設けられ、折り用ミシン目が形成された仕様の用紙が既に知られている。（例えば、特許文献１，２参照）
【０００３】
【特許文献１】特開平１０−３２９４５６号公報
【特許文献２】特開平１１−１０５４６４号公報
【０００４】
そして、これらの情報隠蔽用連続用紙は、単位葉書用紙を２つ折りして剥離可能に接着させるために、単位葉書用紙上の半分の領域に剥離後に再度貼付可能な接着剤層を設け、その上に保護用の剥離用紙を貼付することで、プリンタによる印字が終了後に、剥離用紙を剥離させて、再度貼付可能な接着剤層により２つ折りして印字面を隠蔽した隠蔽葉書を作成できるように構成されている。
しかしながら、隠蔽葉書が受取人に届く前に、第三者が不正に開封して内部に印字されている情報を改ざんし、再度、密封して不正行為をはたらくことも考えられるが、従来の隠蔽葉書では、改ざん防止対策がなされていないという問題がある。
【発明の開示】
【発明が解決しようとする課題】
【０００５】
そこで、本発明は、発送時に２つ折り葉書として発送され、配達後に受取人が見開くことが可能に構成された葉書において、その葉書が受取人に届く前に第三者によって内部に記載された伝達情報の改ざんが行われないように、改ざん防止を施した情報隠蔽葉書用シートを提供する。
【課題を解決するための手段】
【０００６】
本発明の情報隠蔽葉書用シートは、用紙の略中央に形成された縦折り用ミシンにより、葉書サイズの大きさを有する宛名用紙と隠蔽用紙とが連接され、前記隠蔽用紙の一端側に沿って開封用ミシンが形成された情報隠蔽葉書用シートであって、前記宛名用紙上及び前記隠蔽用紙上には、表示情報を隠蔽するための地紋印刷が施され、前記宛名用紙の上側には、裏面に強接着剤層が形成された用紙が接着され、前記隠蔽用紙の上側には、裏面に剥離可能な接着剤層及び強接着剤層が形成され、且つ表面に透明粘着剤層が形成された透明紙が接着され、更に、前記隠蔽用紙と前記透明紙が前記開封用ミシンから端部領域においてだけ前記強接着剤層で接着され、前記透明粘着剤層上には剥離紙が剥離可能に貼付されていることを特徴とする。
【発明の効果】
【０００７】
本発明の情報隠蔽葉書用シートは、その情報隠蔽葉書用シートで隠蔽葉書が作成された場合に、不正に隠蔽葉書の内部表示情報を見る際には開封用ミシンを切らなければならないので、開封されたことがわかると共に、内部に記載された伝達情報を改ざんしようとしても、伝達情報が記載された部分の上に透明紙が接着されているので、不正改ざんを防止できるという効果がある。
【発明を実施するための最良の形態】
【０００８】
以下、本発明の実施形態に係る情報隠蔽葉書用シートを、図面に基づいて詳細に説明する。
図１は、本発明の実施形態に係る情報隠蔽葉書用シートの構成を説明する展開図、図２は、本発明の実施形態に係る情報隠蔽葉書用シートの断面図、図３は、本発明の実施形態に係る情報隠蔽葉書用シートから葉書を作成する状態を示す断面図、図４は、本発明の実施形態に係る情報隠蔽葉書用シートの葉書の表側を示す平面図、図５は、本発明の実施形態に係る情報隠蔽葉書用シートで作成された情報隠蔽葉書を葉書の表側から見た状態を示す斜視図、図６は、本発明の実施形態に係る情報隠蔽葉書用シートで作成された情報隠蔽葉書を葉書の裏側から見た状態を示す斜視図、図７は、本発明の実施形態に係る情報隠蔽葉書用シートで作成された情報隠蔽葉書を見開いた状態を示す斜視図である。
【０００９】
まず、本発明の実施形態に係る情報隠蔽葉書用シートの構成を、図１及び図２に基づいて説明する。
情報隠蔽葉書用シート１は、用紙３の幅方向に対して略中央に形成された縦折り用ミシン２により、左右に、葉書サイズの大きさを有する宛名用紙３ａと隠蔽用紙３ｂとが連接されており、その隠蔽用紙３ｂには、外側に一端側に沿って開封用ミシン４が形成されている。
そして、宛名用紙３ａ上及び隠蔽用紙３ｂ上には、情報隠蔽葉書用シート１を用いて２つ折りして作成された葉書内に、印字等で表示された表示情報が、外部から透かして読み取られることを防止して隠蔽するための地紋印刷５が施されている。
この地紋印刷５の絵柄やデザインは、特に限定されるものではなく、任意の絵柄やデザインを用いることができる。
【００１０】
更に、宛名用紙３ａの上側には、裏面に強接着剤層６が形成された伝達情報表示用紙７が接着され、また、隠蔽用紙３ｂの上側には、裏面の所定部分に剥離可能な接着剤層８及び強接着剤層９が形成され、且つ表面に透明粘着剤層１０が形成された透明紙１１が接着されている。
透明紙１１の裏面に形成されている強接着剤層９は、隠蔽用紙３ｂ上に透明紙１１を重ね合わせた場合に、隠蔽用紙３ｂに形成されている開封用ミシン４から隠蔽用紙３ｂの端部までの間の領域に強接着剤層９が重合される部分に形成されている。
また、透明紙１１の裏面に形成されている剥離可能な接着剤層８は、隠蔽用紙３ｂ上に透明紙１１を重ね合わせた場合に、隠蔽用紙３ｂに形成されている開封用ミシン４から縦折り用ミシン２までの間の領域に剥離可能な接着剤層８が重合される部分に形成されている。
【００１１】
これにより、情報隠蔽葉書用シート１を用いて２つ折りして作成された葉書は、内部に表示されている情報を読み取る際に、剥離可能な接着剤層８と重合されている隠蔽用紙３ｂの部分を、透明紙１１から剥離させて読むことができる状態として構成されている。
【００１２】
尚、図１には、単体の情報隠蔽葉書用シート１が示されているが、宛名用紙３ａ及び隠蔽用紙３ｂからなる用紙３と、伝達情報を印字するための伝達情報表示用紙７と、透明紙１１と、剥離紙１２と縦方向に連続させて設けて、所定間隔に形成された横方向の切り取りミシン（図示せず）を介して帯状に設けることで、プリンタにより連続して印字できるように構成させてもよい。
情報隠蔽葉書用シート１を、切り取りミシンを介して連続状態で帯状に設けた場合には、図１に示すように、情報隠蔽葉書用シート１の両側に搬送用のマージナルパンチ穴１３が等間隔でそれぞれ形成されたマージナルパンチ部を設けることが好ましい。
また、この場合には、情報隠蔽葉書用シート１から葉書を作成する際に、マージナルパンチ穴１３の部分をスリットするための切り取りミシン１４も両側に形成することが好ましい。
また、切り取りミシン１４を形成する代わりに、スリット用の罫線を表示させておいてもよい。
尚、図２及び図３には、既にマージナルパンチ穴１３が等間隔でそれぞれ形成されたマージナルパンチ用部を切り離した後の状態が示されている。
【００１３】
図４には、単体の情報隠蔽葉書用シート１の葉書表面側が示されているが、隠蔽用紙３ｂには、開封用ミシン４の下端付近にコーナーカット１５が形成されている。
このコーナーカット１５は、情報隠蔽葉書用シート１を２つ折りさせて葉書を形成させた場合に、その葉書の受取人がコーナーカット１５の部分から隠蔽用紙３ｂを摘んで、隠蔽用紙３ｂをめくり上げることで、開封用ミシン４から隠蔽用紙３ｂの一部を切り取り、剥離可能な接着剤層８から隠蔽用紙３ｂを剥離できるように形成されている。
【００１４】
次に、本発明の情報隠蔽葉書用シート１の使用方法について説明する。
まず、図１又は図４に示すような、左右端側にマージナルパンチ部を有する連続状態の情報隠蔽葉書用シート１から、マージナルパンチ部を切り離すと共に、連続状態の情報隠蔽葉書用シート１を横方向の切り取りミシンから切り離し、単体の情報隠蔽葉書用シート１にする。
この単体の情報隠蔽葉書用シート１をアンケートなどの返信用の葉書用紙として、ダイレクトメールの封筒に同封して顧客などに郵送する。
【００１５】
そして、その受取人が情報隠蔽葉書用シート１を使用する場合には、まず、宛名用紙３ａの上面に宛名情報１７を記入すると共に、伝達情報表示用紙７の上面に伝達情報１６を記入する。
次に、図３に示すように、剥離紙１２を透明粘着剤層１０上から剥離させる。
そして、図５、図６に示すように、縦折り用ミシン２から用紙３を２つ折りさせて、宛名用紙３ａ上に設けられている伝達情報表示用紙７と、透明紙１１上に設けられている透明粘着剤層１０とを重ね合わせて、透明粘着剤層１０によりそれらを接着状態にする。
この状態により、情報隠蔽葉書用シート１を用いた葉書が形成され、その葉書を郵便ポストに投函して郵送させる。
【００１６】
その後、その葉書の受取人は、図６に示すように、葉書の裏側にあるコーナーカット１５の部分から隠蔽用紙３ｂの一部分を摘んで、隠蔽用紙３ｂをめくり上げて、開封用ミシン４から隠蔽用紙３ｂの一部を切り取り、隠蔽用紙３ｂを剥離させる。
図７には、隠蔽用紙３ｂを剥離させた状態の葉書が示されているが、伝達情報表示用紙７の上面側には透明紙１１が接着され、透明紙１１により伝達情報表示用紙７上面に記載された伝達情報１６が保護され、透明紙１１を透視して伝達情報を読み取ることができる。
【００１７】
上記のように、本発明の情報隠蔽葉書用シート１は、略中央から２つに折り畳んで葉書状態にした後には、伝達情報表示用紙７上面に透明紙１１が透明粘着剤層１０により接着状態とされるので、その葉書が受取人に届く前に、第三者によって内部に記載された伝達情報１６を改ざんしようとしても、透明紙１１により改ざんできないように構成されている。
また、伝達情報表示用紙７に記載された伝達情報は、透明紙１１と透明粘着剤層１０とが重ね合わされているので、透視させて読み取れるようにしてある。
【図面の簡単な説明】
【００１８】
【図１】本発明の実施形態に係る情報隠蔽葉書用シートの構成を説明する展開図である。
【図２】本発明の実施形態に係る情報隠蔽葉書用シートの断面図である。
【図３】本発明の実施形態に係る情報隠蔽葉書用シートから葉書を作成する状態を示す断面図である。
【図４】本発明の実施形態に係る情報隠蔽葉書用シートの葉書の表側を示す平面図である。
【図５】本発明の実施形態に係る情報隠蔽葉書用シートで作成された情報隠蔽葉書を葉書の表側から見た状態を示す斜視図である。
【図６】本発明の実施形態に係る情報隠蔽葉書用シートで作成された情報隠蔽葉書を葉書の裏側から見た状態を示す斜視図である。
【図７】本発明の実施形態に係る情報隠蔽葉書用シートで作成された情報隠蔽葉書を見開いた状態を示す斜視図である。
【符号の説明】
【００１９】
１  情報隠蔽葉書用シート
２  縦折り用ミシン
３  用紙
３ａ  宛名用紙
３ｂ  隠蔽用紙
４  開封用ミシン
５  地紋印刷
６，９  強接着剤層
７  伝達情報表示用紙
８  剥離可能な接着剤層
１０  透明粘着剤層
１１  透明紙
１２  剥離紙
１３  マージナルパンチ穴
１４  切り取りミシン
１５  コーナーカット
１６  伝達情報
１７  宛名情報
【図１】
2008188787.tif 000003
【図２】
2008188787.tif 000004
【図３】
2008188787.tif 000005
【図４】
2008188787.tif 000006
【図５】
2008188787.tif 000007
【図６】
2008188787.tif 000008
【図７】
2008188787.tif 000009